(57)【特許請求の範囲】
【請求項１】
ドロワまたは釣銭機を備えた金銭登録機と、前記ドロワまたは釣銭機から回収された現金を納金するための納金機と、前記金銭登録機と前記納金機とをそれぞれ通信手段を介して接続してなる現金管理装置とを含み、
前記金銭登録機は、前記ドロワまたは釣銭機から現金を回収するオペレータの識別情報を記憶する回収オペレータ記憶手段と、前記ドロワまたは釣銭機から回収された現金の金額に前記回収オペレータ記憶手段で記憶されたオペレータの識別情報を付加した回収情報を、前記通信手段を介して前記現金管理装置に送信する回収情報送信手段と、を具備し、
前記納金機は、現金を納金するオペレータの識別情報を取得する納金オペレータ取得手段と、納金された現金の金額に前記納金オペレータ取得手段により取得したオペレータの識別情報を付加した納金情報を、前記通信手段を介して前記現金管理装置に送信する納金情報送信手段と、を具備し、
前記現金管理装置は、前記オペレータの識別情報に関連付けて少なくとも回収金額と納金金額とを記録する現金管理ファイルと、前記金銭登録機から受信した前記回収情報に含まれる回収金額を、その回収情報に含まれる前記オペレータの識別情報に関連付けて前記現金管理ファイルに記録されている回収金額に加算する回収情報処理手段と、前記納金機から受信した前記納金情報に含まれる納金金額を、その納金情報に含まれる前記オペレータの識別情報に関連付けて前記現金管理ファイルに記録されている納金金額に加算する納金情報処理手段と、一営業日の設定時刻になると、前記現金管理ファイルにて前記オペレータの識別情報に関連付けて記録されている回収金額と納金金額との差額である過不足金額を前記オペレータの識別情報別に算出する過不足金額算出手段と、この過不足金額算出手段により前記オペレータの識別情報別に算出された過不足金額を出力する過不足金額出力手段と、を具備したことを特徴とする現金管理システム。
【請求項２】
ドロワまたは釣銭機を備えた複数の金銭登録機と、前記ドロワまたは釣銭機から回収された現金を納金するための納金機と、前記金銭登録機と前記納金機とをそれぞれ通信手段を介して接続してなる現金管理装置とを含み、
前記金銭登録機は、前記ドロワまたは釣銭機から回収された現金の金額に当該金銭登録機を識別する端末識別情報を付加した回収情報を、前記通信手段を介して前記現金管理装置に送信する回収情報送信手段、を具備し、
前記納金機は、納金される現金を回収したドロワまたは釣銭機を備えた金銭登録機の端末識別情報を取得する納金端末取得手段と、納金された現金の金額に前記納金端末取得手段により取得した端末識別情報を付加した納金情報を、前記通信手段を介して前記現金管理装置に送信する納金情報送信手段と、を具備し、
前記現金管理装置は、前記端末識別情報に関連付けて少なくとも回収金額及び納金金額を記録する現金管理ファイルと、前記金銭登録機から受信した前記回収情報に含まれる回収金額を、その回収情報に含まれる前記端末識別情報に関連付けて前記現金管理ファイルに記録されている回収金額に加算する回収情報処理手段と、前記納金機から受信した前記納金情報に含まれる納金金額を、その納金情報に含まれる前記端末識別情報に関連付けて前記現金管理ファイルに記録されている納金金額に加算する納金情報処理手段と、一営業日の設定時刻になると、前記現金管理ファイルにて前記端末識別情報に関連付けて記録されている回収金額と納金金額との差額である過不足金額を前記端末識別情報別に算出する過不足金額算出手段と、この過不足金額算出手段により前記端末識別情報別に算出された過不足金額を出力する過不足金額出力手段と、を具備したことを特徴とする現金管理システム。
【請求項３】
ドロワまたは釣銭機を備えた金銭登録機と、前記ドロワまたは釣銭機から回収された現金を納金するための納金機とをそれぞれ通信手段を介して接続してなる現金管理装置において、
前記ドロワまたは釣銭機から現金を回収し、その回収した現金を前記納金機に入金するオペレータの識別情報に関連付けて少なくとも回収金額と納金金額とを記録する現金管理ファイルと、
前記金銭登録機から、前記ドロワまたは釣銭機から回収された現金の金額にその現金を回収したオペレータの識別情報を付加した回収情報を受信する回収情報受信手段と、
前記納金機から、納金された現金の金額に現金を納金したオペレータの識別情報を付加した納金情報を受信する納金情報受信手段と、
前記金銭登録機から受信した前記回収情報に含まれる回収金額を、その回収情報に含まれる前記オペレータの識別情報に関連付けて前記現金管理ファイルに記録されている回収金額に加算する回収情報処理手段と、
前記納金機から受信した前記納金情報に含まれる納金金額を、その納金情報に含まれる前記オペレータの識別情報に関連付けて前記現金管理ファイルに記録されている納金金額に加算する納金情報処理手段と、
一営業日の設定時刻になると、前記現金管理ファイルにて前記オペレータの識別情報に関連付けて記録されている回収金額と納金金額との差額である過不足金額を前記オペレータの識別情報別に算出する過不足金額算出手段と、
この過不足金額算出手段により前記オペレータの識別情報別に算出された過不足金額を出力する過不足金額出力手段と、
を具備したことを特徴とする現金管理装置。
【請求項４】
ドロワまたは釣銭機を備えた複数の金銭登録機と、前記ドロワまたは釣銭機から回収された現金を納金するための納金機とをそれぞれ通信手段を介して接続してなる現金管理装置において、
前記複数の金銭登録機を識別する端末識別情報に関連付けて少なくとも回収金額及び納金金額を記録する現金管理ファイルと、
前記金銭登録機から、前記ドロワまたは釣銭機から回収された現金の金額にその金銭登録機の端末識別情報を付加した回収情報を受信する回収情報受信手段と、
前記納金機から、納金された現金の金額に納金端末取得手段によって取得された端末識別情報を付加した納金情報を受信する納金情報受信手段と、
前記金銭登録機から受信した前記回収情報に含まれる回収金額を、その回収情報に含まれる端末識別情報に関連付けて前記現金管理ファイルに記録されている回収金額に加算する回収情報処理手段と、
前記納金機から受信した前記納金情報に含まれる納金金額を、その納金情報に含まれる前記端末識別情報に関連付けて前記現金管理ファイルに記録されている納金金額に加算する納金情報処理手段と、
一営業日の設定時刻になると、前記現金管理ファイルにて前記端末識別情報に関連付けて記録されている回収金額と納金金額との差額である過不足金額を前記端末識別情報別に算出する過不足金額算出手段と、
この過不足金額算出手段により前記端末識別情報別に算出された過不足金額を出力する過不足金額出力手段と、
を具備したことを特徴とする現金管理装置。
【請求項５】
ドロワまたは釣銭機を備えた金銭登録機と、前記ドロワまたは釣銭機から回収された現金を納金するための納金機とをそれぞれ通信手段を介して接続してなり、前記ドロワまたは釣銭機から現金を回収し、その回収した現金を前記納金機に入金するオペレータの識別情報に関連付けて少なくとも回収金額と納金金額とを記録する現金管理ファイルを備えたコンピュータに、
前記金銭登録機から、前記ドロワまたは釣銭機から回収された現金の金額にその現金を回収したオペレータの識別情報を付加した回収情報を受信させる回収情報受信機能と、
前記納金機から、納金された現金の金額に現金を納金したオペレータの識別情報を付加した納金情報を受信させる納金情報受信機能と、
前記金銭登録機から受信した前記回収情報に含まれる回収金額を、その回収情報に含まれる前記オペレータの識別情報に関連付けて前記現金管理ファイルに記録されている回収金額に加算させる回収情報処理機能と、
前記納金機から受信した前記納金情報に含まれる納金金額を、その納金情報に含まれる前記オペレータの識別情報に関連付けて前記現金管理ファイルに記録されている納金金額に加算させる納金情報処理機能と、
一営業日の設定時刻になると、前記現金管理ファイルにて前記オペレータの識別情報に関連付けて記録されている回収金額と納金金額との差額である過不足金額を前記オペレータの識別情報別に算出させる過不足金額算出機能と、
この過不足金額算出手段により前記オペレータの識別情報別に算出された過不足金額を出力させる過不足金額出力機能と、
を実現させるための現金管理プログラム。
【請求項６】
ドロワまたは釣銭機を備えた複数の金銭登録機と、前記ドロワまたは釣銭機から回収された現金を納金するための納金機とをそれぞれ通信手段を介して接続してなり、前記複数の金銭登録機を識別する端末識別情報に関連付けて少なくとも回収金額及び納金金額を記録する現金管理ファイルを備えたコンピュータに、
前記金銭登録機から、前記ドロワまたは釣銭機から回収された現金の金額にその金銭登録機の端末識別情報を付加した回収情報を受信させる回収情報受信機能と、
前記納金機から、納金された現金の金額に納金端末取得手段によって取得された端末識別情報を付加した納金情報を受信させる納金情報受信機能と、
前記金銭登録機から受信した前記回収情報に含まれる回収金額を、その回収情報に含まれる前記端末識別情報に関連付けて前記現金管理ファイルに記録されている回収金額に加算させる回収情報処理機能と、
前記納金機から受信した前記納金情報に含まれる納金金額を、その納金情報に含まれる前記端末識別情報に関連付けて前記現金管理ファイルに記録されている納金金額に加算させる納金情報処理機能と、
一営業日の設定時刻になると、前記現金管理ファイルにて前記端末識別情報に関連付けて記録されている回収金額と納金金額との差額である過不足金額を前記端末識別情報別に算出させる過不足金額算出機能と、
この過不足金額算出機能により前記端末識別情報別に算出された過不足金額を出力させる過不足金額出力機能と、
を実現させるための現金管理プログラム。
【発明の詳細な説明】
【技術分野】
【０００１】
本発明の実施形態は、金銭登録機から回収した売上金を集金するための納金機を設置した小売店舗に構築される現金管理システム及びこのシステムの現金管理装置並びにコンピュータを前記現金管理装置として機能させるための現金管理プログラムに関する。
【背景技術】
【０００２】
スーパーマーケットのような多くの量販店では、売上金を集金するための納金機が店内に設置されている。このような店では、閉店後に店員が金銭登録機の精算業務を実施する。そうすると、金銭登録機からその日の売上高が出力されるので、店員は、金銭登録機に接続されたドロワまたは釣銭機から売上高に相当する現金を回収する。そして店員は、回収した現金を持参して納金機に納金する。
【０００３】
納金する際、店員は、納金機の入力デバイスを操作して、金銭登録機から出力された売上高の金額データを入力する。納金機では、納金された現金の金額が計数され、納金金額データと入力金額データとが比較されて、納金に過不足がないかチェックされる。
【先行技術文献】
【特許文献】
【０００４】
【特許文献１】特開２００６−１５５３２６号公報
【発明の概要】
【発明が解決しようとする課題】
【０００５】
上述したように、従来の現金管理システムにおいては、店員が手入力した売上高の金額データと納金機に納金された現金の金額データとが比較されて、納金の過不足がチェックされていた。このため、店員が金額データを入力し間違えた場合には、正しい過不足金額を管理できなくなる。また、店員が故意に金額データを少なく入力してその分の売上金を着服しても、過不足無しとして処理されるため、不正を発見できないおそれがある。
【０００６】
本発明が解決しようとする課題は、金銭登録機から回収した売上金を納金機に納金する際の手間を軽減しつつ現金管理の信頼性向上を図り得る現金管理システム及びこのシステムの現金管理装置を提供しようとするものである。
【課題を解決するための手段】
【０００７】
一実施形態において、現金管理システムは、ドロワまたは釣銭機を備えた金銭登録機と、ドロワまたは釣銭機から回収された現金を納金するための納金機と、金銭登録機と納金機とをそれぞれ通信手段を介して接続してなる現金管理装置とを含む。金銭登録機は、ドロワまたは釣銭機から現金を回収するオペレータの識別情報を記憶する回収オペレータ記憶手段と、ドロワまたは釣銭機から回収された現金の金額に回収オペレータ記憶手段で記憶されたオペレータの識別情報を付加した回収情報を、通信手段を介して現金管理装置に送信する回収情報送信手段とを具備する。納金機は、現金を納金するオペレータの識別情報を取得する納金オペレータ取得手段と、納金された現金の金額に納金オペレータ取得手段により取得したオペレータの識別情報を付加した納金情報を、通信手段を介して現金管理装置に送信する納金情報送信手段とを具備する。現金管理装置は、現金管理ファイルと、回収情報処理手段と、納金情報処理手段と、過不足金額算出手段と、過不足金額出力手段とを具備する。現金管理ファイルは、オペレータの識別情報に関連付けて少なくとも回収金額と納金金額とを記録する。回収情報処理手段は、金銭登録機から受信した回収情報に含まれる回収金額を、その回収情報に含まれるオペレータの識別情報に関連付けて現金管理ファイルに記録されている回収金額に加算する。納金情報処理手段は、納金機から受信した納金情報に含まれる納金金額を、その納金情報に含まれるオペレータの識別情報に関連付けて現金管理ファイルに記録されている納金金額に加算する。過不足金額算出手段は、一営業日の設定時刻になると、現金管理ファイルにてオペレータ識別情報に関連付けて記録されている回収金額と納金金額との差額である過不足金額をオペレータの識別情報別に算出する。過不足金額出力手段は、過不足金額算出手段によりオペレータの識別情報別に算出された過不足金額を出力する。
【図面の簡単な説明】
【０００８】
【図１】第１の実施形態における現金管理システムの全体構成図。
【図２】同第１の実施形態におけるＰＯＳ端末の要部構成を示すブロック図。
【図３】同第１の実施形態において、ＰＯＳ端末のＲＡＭに形成される釣銭機管理用のメモリエリアを示す模式図。
【図４】同第１の実施形態において、ＰＯＳ端末のＣＰＵが実行する精算業務の処理手順を示す流れ図。
【図５】同第１の実施形態において、ＰＯＳ端末のＣＰＵが実行する回収業務の処理手順を示す流れ図。
【図６】同第１の実施形態における納金機の要部構成を示すブロック図。
【図７】同第１の実施形態において、納金機のＣＰＵが実行する納金業務の処理手順を示す流れ図。
【図８】同第１の実施形態におけるストアコンピュータの要部構成を示すブロック図。
【図９】同第１の実施形態において、ストアコンピュータのＨＤＤ装置に保存する現金管理ファイルのデータ構造を示す模式図。
【図１０】同第１の実施形態において、ストアコンピュータのＣＰＵが実行する主要な受信処理の手順を示す流れ図。
【図１１】同第１の実施形態において、ストアコンピュータのＣＰＵが実行する現金管理業務の処理手順を示す流れ図。
【図１２】同第１の実施形態において、ストアコンピュータから出力される現金管理レポートの一例を示す図。
【図１３】第２の実施形態における現金管理システムの全体構成図。
【図１４】同第２の実施形態において、ＰＯＳ端末のＣＰＵが実行する回収業務の処理手順を示す流れ図。
【図１５】同第２の実施形態において、納金機のＣＰＵが実行する納金業務の処理手順を示す流れ図。
【図１６】同第２の実施形態において、ストアコンピュータのＨＤＤ装置に保存する現金管理ファイルのデータ構造を示す模式図。
【図１７】同第２の実施形態において、ストアコンピュータのＣＰＵが実行する主要な受信処理の手順を示す流れ図。
【図１８】同第１の実施形態において、ストアコンピュータから出力される現金管理レポートの一例を示す図。
【発明を実施するための形態】
【０００９】
以下、現金管理システムの実施形態について、図面を用いて説明する。なお、この実施形態は、スーパーマーケット等の量販店に構築されているＰＯＳシステムを利用して、現金管理を実現する場合である。
【００１０】
（第１の実施形態）
図１は、第１の実施形態における現金管理システム１の全体構成図である。現金管理システム１は、金銭登録機である複数台のＰＯＳ端末１１と、現金管理装置としての機能を有するストアコンピュータ１２と、納金機１３とを含む。各ＰＯＳ端末１１とストアコンピュータ１２とは、店内ＬＡＮ（Local Area Network）１４によって接続され、周知のＰＯＳシステムを構築する。そして、上記店内ＬＡＮ１４に納金機１３が接続されており、納金機１３とストアコンピュータ１２との間でデータ通信が可能となっている。
【００１１】
各ＰＯＳ端末１１は、それぞれ釣銭機１５を接続している。釣銭機１５は、紙幣投入口から投入された紙幣と硬貨投入口から投入された硬貨とをそれぞれ選別して、金種別に金庫に収納する。また釣銭機１５は、ＰＯＳ端末１１から金額の払出指令を受けると、その金額に相当する紙幣または硬貨を金庫から払出口に自動的に払い出す。
【００１２】
図２は、ＰＯＳ端末１１の要部構成を示すブロック図である。ＰＯＳ端末１１は、制御部本体としてＣＰＵ（Central Processing Unit）２０１を搭載している。また、ＰＯＳ端末１１は、プログラム等の固定的データを記憶するＲＯＭ（Read Only Memory）２０２、可変的なデータを記憶するための種々のメモリエリアを有するＲＡＭ（Random Access Memory）２０３、現在の日付及び時刻を計時する時計部２０４、前記ＬＡＮ１４を介して行うデータ通信を制御するＬＡＮコントローラ２０５、前記釣銭機１５との間でデータ信号を授受する釣銭機インターフェース２０６の他、各種入出力デバイスのコントローラとして、キーボードコントローラ２０７、スキャナコントローラ２０８、第１の表示コントローラ２０９、第２の表示コントローラ２１０及びプリンタコントローラ２１１を搭載している。そしてＣＰＵ２０１と、ＲＯＭ２０２、ＲＡＭ２０３、時計部２０４、ＬＡＮコントローラ２０５、釣銭機インターフェース２０６及び各種入出力デバイスのコントローラ２０７〜２１１とを、アドレスバス，データバス等のバスライン２１２で接続している。
【００１３】
キーボードコントローラ２０７は、商取引の決済業務に用いられる種々のキーが配設されたキーボード２２１を制御する。スキャナコントローラ２０８は、商品等に付されたバーコードを光学的に読み取るためのスキャナ２２２を制御する。第１の表示コントローラ２０９は、オペレータに対して画像を表示するオペレータ用ディスプレイ２２３を制御する。第２の表示コントローラ２１０は、客に対して画像を表示する客用ディスプレイ２２４を制御する。プリンタコントローラ２１１は、レシート等を印字するためのプリンタ２２５を制御する。
【００１４】
かかる構成のＰＯＳ端末１１は、釣銭機インターフェース２０６を介して接続される釣銭機１５の現金在高を管理するためのメモリエリアとして、図３に示すように、釣銭準備金額Ａのエリア３１と、現金売上金額Ｂのエリア３２と、在高金額理論値Ｃのエリア３３と、回収金額Ｄのエリア３４とを、ＲＡＭ２０３に形成している。釣銭準備金額Ａは、１営業日の開店前の段階において、釣銭機１５の金庫内に用意されている現金の総額である。現金売上金額Ｂは、１営業日において、当該ＰＯＳ端末１１で決済された商取引のうち現金払いで決済された商取引の支払い金額の総額である。在高金額理論値Ｃは、釣銭準備金額Ａを初期値とし、現金払いで決済された商取引が発生する毎にその商取引の現金売上金額Ｂを加算した金額である。回収金額Ｄは、釣銭機１５の金庫から回収した現金の金額である。
【００１５】
しかしてＰＯＳ端末１１では、１営業日の閉店後に精算業務が実行される。図４は、精算業務に対するＣＰＵ２０１の制御手順を示す流れ図である。この手順は、ＲＯＭ２０２に格納された精算業務プログラムに従う。
【００１６】
精算業務が開始されると、先ず、ＣＰＵ２０１は、精算業務を実行可能か否かを判断する（ＳＴ１）。精算業務は、精算業務を許容されたオペレータがサインオンを宣言している場合に実行可能である。サインオンを宣言する際、オペレータは、入力デバイス（キーボード２２１、スキャナ２２２）を操作して、自らのオペレータ識別情報であるオペレータＩＤを入力する。すなわちＣＰＵ２０１は、サインオン中のオペレータＩＤが、精算業務を許容されたオペレータのものか否かを判断する。精算業務を許容されたオペレータのオペレータＩＤは、予めＲＡＭ２０３に設定されている。サインオン中のオペレータＩＤが精算業務を許容されたオペレータのものでないとき、精算業務は実行不可能である（ＳＴ１のＮＯ）。この場合、ＣＰＵ２０１は、処理を終了する。
【００１７】
サインオン中のオペレータＩＤが、精算業務を許容されたオペレータのものであるとき（ＳＴ１のＹＥＳ）、ＣＰＵ２０１は、釣銭準備金変更コマンドを受信しているか否かを判断する（ＳＴ２）。当該コマンドは、釣銭機１５内の釣銭準備金額Ａを変更する必要があるとき、精算業務の前に、ストアコンピュータ１２からＬＡＮ１４を通じて各ＰＯＳ端末１１に配信される。
【００１８】
釣銭準備金変更コマンドを受信していないとき（ＳＴ２のＮＯ）、ＣＰＵ２０１は、メモリエリア３２の現金売上金額Ｂからメモリエリア３４の回収金額Ｄを減額した金額を、新たな回収金額Ｄとしてメモリエリア３４に上書きする（ＳＴ３）。これに対し、釣銭準備金変更コマンドを受信しているときには（ＳＴ２のＹＥＳ）、ＣＰＵ２０１は、メモリエリア３１の釣銭準備金額Ａを変更後の金額に更新する（ＳＴ４）。そして、メモリエリア３３の在高金額理論値Ｃから更新後の釣銭準備金額Ａを減算し、その差を回収金額Ｄとしてメモリエリア３４に上書きする（ＳＴ５）。
【００１９】
次に、ＣＰＵ２０１は、釣銭機インターフェース２０６を介して釣銭機１５に回収金額Ｄの回収コマンドを送信する（ＳＴ６）。また、サインオン中のオペレータＩＤと回収金額Ｄと時計部２０４で計時されている現在の日時情報とを含む現金回収情報を、ＬＡＮコントローラ２０５を介してストアコンピュータ１２に送信する（ＳＴ７：回収情報送信手段）。
【００２０】
しかる後、ＣＰＵ２０１は、精算処理を実行する（ＳＴ８）。この精算処理により、当該ＰＯＳ端末１１で１営業日に売上登録された各商品の販売データが集計され、その集計データが精算レポートとしてプリンタ２２５によりレシート用紙に印刷出力される。以上で、精算業務は終了する。
【００２１】
また、ＰＯＳ端末１１では、１営業日の中で適宜、回収業務が実行される。図５は、回収業務に対するＣＰＵ２０１の制御手順を示す流れ図である。この手順は、ＲＯＭ２０２に格納された回収業務プログラムに従う。
【００２２】
回収業務が開始されると、先ず、ＣＰＵ２０１は、例えばオペレータ用ディスプレイ２２３に「現金回収者のオペレータＩＤを入力してください」とのメッセージを表示して、回収者ＩＤの入力を促す（ＳＴ１１）。ここで、例えばスキャナ２２２によるオペレータＩＤ用バーコードのスキャニングによりオペレータＩＤが入力されると（ＳＴ１１のＹＥＳ）、ＣＰＵ２０１は、そのオペレータＩＤを回収者ＩＤとしてＲＡＭ２０３に一時記憶する（ＳＴ１２：回収オペレータ記憶手段）。
【００２３】
次に、ＣＰＵ２０１は、例えばオペレータ用ディスプレイ２２３に「釣銭機から回収する金額を入力してください」とのメッセージを表示して、回収金額の入力を促す（ＳＴ１３）。ここで、例えばキーボード２２１の置数キー操作により金額データが入力されると（ＳＴ１３のＹＥＳ）、ＣＰＵ２０１は、その入力金額データを回収金額ＤとしてＲＡＭ２０３のメモリエリア３４に上書きする（ＳＴ１４）。
【００２４】
次に、ＣＰＵ２０１は、釣銭機インターフェース２０６を介して釣銭機１５に回収金額Ｄの回収コマンドを送信する（ＳＴ１５）。また、回収者ＩＤと回収金額Ｄと現在の日時情報とを含む現金回収情報を、ＬＡＮコントローラ２０５を介してストアコンピュータ１２に送信する（ＳＴ１６：回収情報送信手段）。しかる後、ＣＰＵ２０１は、メモリエリア３３の在高金額理論値Ｃから回収金額Ｄを減算して、在高金額理論値Ｃを更新する（ＳＴ１７）。以上で、回収業務は終了する。
【００２５】
因みに、前記回収コマンドを受信した釣銭機１５では、そのコマンド中の回収金額Ｄに相当する紙幣または硬貨が金庫から払出口に自動的に払い出される。そこで、精算業務または回収業務を担当する店員、すなわちサインオン中のオペレータＩＤで識別される店員または回収者ＩＤで識別される店員は、釣銭機１５から払い出された現金を持参して納金機１３に納金する。このとき、回収業務を担当する店員は、複数台のＰＯＳ端末１１に夫々接続された釣銭機１５から回収した金額を一括して納金機１３に納金してもよい。
【００２６】
納金機１３は、ＰＯＳ端末１１から回収した売上金を集金するための装置で、店のバックヤードに設置されている。納金機１３は、売上金の回収を委託する警備輸送会社あるいは金融機関等の管理会社のサーバ１６とオンラインで接続されている。
【００２７】
図６は、納金機１３の要部構成を示すブロック図である。納金機１３は、制御部本体としてＣＰＵ４０１を搭載している。また、納金機１３は、プログラム等の固定的データを記憶するＲＯＭ４０２、可変的なデータを記憶するための種々のメモリエリアを有するＲＡＭ４０３、補助記憶装置としてのＨＤＤ（Hard Disk Drive）装置４０４、現在の日付及び時刻を計時する時計部４０５、前記ＬＡＮ１４を介して行うデータ通信を制御するＬＡＮコントローラ４０６、前記オンラインで接続された管理会社サーバ１６との間のデータ通信を司る通信インターフェース４０７の他、各種入出力デバイスのコントローラとして、キーボードコントローラ４０８、スキャナコントローラ４０９、表示コントローラ４１０及びプリンタコントローラ４１１を搭載している。そしてＣＰＵ４０１と、ＲＯＭ４０２、ＲＡＭ４０３、ＨＤＤ装置４０４、時計部４０５、ＬＡＮコントローラ４０６、通信インターフェース４０７及び各種入出力デバイスのコントローラ４０８〜４１１とを、アドレスバス，データバス等のバスライン４１２で接続している。
【００２８】
キーボードコントローラ４０８は、キーボード４２１を制御する。スキャナコントローラ４０９は、スキャナ４２２を制御する。表示コントローラ４１０は、ディスプレイ４２３を制御する。プリンタコントローラ４１１は、プリンタ４２４を制御する。
【００２９】
さらに納金機１３は、硬貨投入口４３１、硬貨選別部４３２、硬貨金庫４３３、投入硬貨計数部４３４、紙幣投入口４３５、紙幣選別部４３６、紙幣金庫４３７、投入紙幣計数部４３８を備える。
【００３０】
硬貨選別部４３２は、硬貨投入口４３１に投入された硬貨を選別し、金種別に振り分けて硬貨金庫４３３に収納する。投入硬貨計数部４３４は、硬貨選別部４３２で選別された情報を基に、硬貨投入口４３１に投入された硬貨の金種別枚数を計数する。投入硬貨計数部４３４で計数された硬貨の金種別枚数データは、バスライン４１２を介してＣＰＵ４０１に送信される。
【００３１】
紙幣選別部４３６は、紙幣投入口４３５に投入された紙幣を選別し、金種別に振り分けて紙幣金庫４３７に収納する。投入紙幣計数部４３８は、紙幣選別部４３６で選別された情報を基に、紙幣投入口４３５に投入された紙幣の金種別枚数を計数する。投入紙幣計数部４３８で計数された紙幣の金種別枚数データは、バスライン４１２を介してＣＰＵ４０１に送信される。
【００３２】
かかる構成の納金機１３では、キーボード４２１のキー操作により納金業務を選択可能である。納金業務が選択されると、ＣＰＵ４０１は、図７の流れ図に示す手順で納金業務を処理する。この手順は、ＲＯＭ４０２に格納された納金業務プログラムに従う。
【００３３】
納金業務が開始されると、先ず、ＣＰＵ４０１は、例えばディスプレイ４２３に「納金者のオペレータＩＤを入力してください」とのメッセージを表示して、納金者ＩＤの入力を促す（ＳＴ２１）。ここで、例えばスキャナ４２２によるオペレータＩＤ用バーコードのスキャニングによりオペレータＩＤが入力されると（ＳＴ２１のＹＥＳ）、ＣＰＵ４０１は、そのオペレータＩＤを納金者ＩＤとしてＲＡＭ４０３に一時記憶する（ＳＴ２２：納金オペレータ取得手段）。
【００３４】
次に、ＣＰＵ４０１は、例えばディスプレイ４２３に「回収した現金を投入してください」とのメッセージを表示して、納金を促す（ＳＴ２３）。ここで、投入硬貨計数部４３４または投入紙幣計数部４３８から硬貨または紙幣の金種別枚数データが入力されると、ＣＰＵ４０１は、納金有りと判断する（ＳＴ２３のＹＥＳ）。この場合、ＣＰＵ４０１は、硬貨または紙幣の金種別枚数データから納金金額Ｇを算出する（ＳＴ２４）。そしてＣＰＵ４０１は、納金者ＩＤと納金金額Ｇと時計部４０５で計時されている現在の日時情報とを含む納金実績情報を、ＨＤＤ装置４０４に保存する（ＳＴ２５）。また、上記納金実績情報を、ＬＡＮコントローラ４０６を介してストアコンピュータ１２に送信する（ＳＴ２６：納金情報送信手段）。以上で、納金業務は終了する。
【００３５】
図８は、ストアコンピュータ１２の要部構成を示すブロック図である。ストアコンピュータ１２は、制御部本体としてＣＰＵ５０１を搭載している。また、ストアコンピュータ１２は、プログラム等の固定的データを記憶するＲＯＭ５０２、可変的なデータを記憶するための種々のメモリエリアを有するＲＡＭ５０３、補助記憶装置としてのＨＤＤ装置５０４、現在の日付及び時刻を計時する時計部５０５、前記ＬＡＮ１４を介して行うデータ通信を制御するＬＡＮコントローラ５０６の他、通信インターフェース５０７、キーボードコントローラ５０８、表示コントローラ５０９、マウスインターフェース５１０及びプリンタインターフェース５１１を搭載している。そしてＣＰＵ５０１と、ＲＯＭ５０２、ＲＡＭ５０３、ＨＤＤ装置５０４、時計部５０５、ＬＡＮコントローラ５０６、通信インターフェース５０７、キーボードコントローラ５０８、表示コントローラ５０９、マウスインターフェース５１０及びプリンタインターフェース５１１とを、アドレスバス，データバス等のバスライン５１２で接続している。
【００３６】
キーボードコントローラ５０８は、キーボード５２１を制御する。表示コントローラ５０９は、ディスプレイ５２２を制御する。マウスインターフェース５１０は、マウス（不図示）を電気的に接続する。プリンタインターフェース５１１は、プリンタ（不図示）を電気的に接続する。
【００３７】
かかる構成のストアコンピュータ１２は、図９に示すように、日付別に、被管理者ＩＤに関連付けて回収金額、納金金額及び過不足金額を１レコードとして記録する現金管理ファイル６０を、ＨＤＤ装置５０４に保存している。
【００３８】
また、ストアコンピュータ１２は、ＲＯＭ５０２に現金管理プログラムを実装している。そして、このプログラムに従い、ＣＰＵ５０１は、ＬＡＮコントローラ５０６を介して接続される各ＰＯＳ端末１１あるいは納金機１３からの情報を待機している。情報を受信すると、ＣＰＵ５０１は、図１０の流れ図に示す受信処理を実行する。
【００３９】
先ず、ＣＰＵ５０１は、受信情報がＰＯＳ端末１１からの現金回収情報であるか否かを判断する。オペレータＩＤまたは回収者ＩＤと回収金額と日時とからなる現金回収情報であった場合（ＳＴ３１のＹＥＳ：回収情報受信手段）、ＣＰＵ５０１は、当該現金回収情報の日付が設定された現金管理ファイル６０を検索して、当該現金回収情報のオペレータＩＤまたは回収者ＩＤが被管理者ＩＤとして登録されているレコードが現金管理ファイル６０に記録されているか調べる（ＳＴ３２）。記録されていない場合（ＳＴ３２のＹＥＳ）、ＣＰＵ５０１は、当該現金回収情報のオペレータＩＤまたは回収者ＩＤを被管理者ＩＤとして登録したレコードを現金管理ファイル６０に追加する（ＳＴ３３）。記録されていた場合には（ＳＴ３２のＹＥＳ）、ＣＰＵ５０１は、当該レコードを選択する。そしてＣＰＵ５０１は、追加したレコードまたは選択したレコードの回収金額に、当該現金回収情報の回収金額を加算する（ＳＴ３４）。
【００４０】
一方、受信情報が納金者ＩＤと納金額と日時とからなる納金実績情報であった場合には（ＳＴ３５のＹＥＳ：納金情報受信手段）、ＣＰＵ５０１は、当該納金実績情報の日付が設定された現金管理ファイル６０を検索して、当該納金実績情報の納金者ＩＤが被管理者ＩＤとして登録されているレコードが現金管理ファイル６０に記録されているか調べる（ＳＴ３６）。記録されていない場合（ＳＴ３６のＹＥＳ）、ＰＯＳ端末１１から現金回収情報が送信されていない現金が納金機１３に納金されたことになるので、ＣＰＵ５０１は、エラーを報知する。例えば、ディスプレイ５２２にエラーメッセージを表示する。このメッセージは、キーボード５２１の確認キーが押下されると消去され、エラー状態が解除される。
【００４１】
当該納金実績情報の納金者ＩＤが被管理者ＩＤとして登録されたレコードが現金管理ファイル６０に記録されている場合（ＳＴ３６のＹＥＳ）、ＣＰＵ５０１は、そのレコードの納金金額に、当該納金実績情報の納金金額を加算する（ＳＴ３７）。以上で、受信処理は終了する。
【００４２】
ここに、現金管理ファイル６０は、ＰＯＳ端末１１から受信した現金回収情報に含まれる回収金額と納金機１３から受信した納金実績情報に含まれる納金金額とを対応付けて記憶する記憶部（金額情報記憶手段）を構成する。
【００４３】
さらにストアコンピュータ１２は、前記現金管理プログラムに従い、現金管理業務を実行する。この現金管理業務は、例えば１営業日の開店前の所定時刻になると、自動的に開始される。
【００４４】
現金管理業務が開始されると、ＣＰＵ５０１は、図１１の流れ図に示す手順の処理を開始する。先ず、ＣＰＵ５０１は、レコードカウンタｎを“０”に初期化する（ＳＴ４１）。続いて、ＣＰＵ５０１は、レコードカウンタｎを“１”だけカウントアップする（ＳＴ４２）。そして、日付が本日より１営業日前の現金管理ファイル６０から、ｎ番目（ｎはレコードカウンタｎのカウント値）のレコードを検出する（ＳＴ４３）。
【００４５】
現金管理ファイル６０からｎ番目のレコードを検出できた場合（ＳＴ４４のＮＯ）、ＣＰＵ５０１は、そのレコードの納金金額から回収減額を減額して過不足金額を算出する（ＳＴ４５：過不足金額算出手段）。そしてＣＰＵ５０１は、算出された過不足金額をｎ番目レコードに格納する（ＳＴ４６）。
【００４６】
しかる後、ＣＰＵ５０１は，ステップＳＴ４２の処理に戻る。すなわちＣＰＵ５０１は、レコードカウンタｎをさらに“１”だけカウントアップする（ＳＴ４２）。そして、１営業日前の現金管理ファイル６０からｎ番目のレコードを検出したならば（ＳＴ４３）、過不足金額を算出し（ＳＴ４５）、算出された過不足金額をｎ番目レコードに格納する（ＳＴ４６）。
【００４７】
以後、ＣＰＵ５０１は、１営業日前の現金管理ファイル６０からｎ番目のレコードを検出する毎に、上記ステップＳＴ４２〜ＳＴ４６の処理を繰り返し実行する。そして、ｎ番目のレコードを検出できなかったならば（ＳＴ４４のＹＥＳ）、ＣＰＵ５０１は、現金管理ファイル６０の内容で現金管理レポート７０を作成する（ＳＴ４７）。そして、この現金管理レポート７０をディスプレイ５２２に表示出力する（ＳＴ４８：過不足金額出力手段）。以上で、現金管理業務は終了する。
【００４８】
図１２は、現金管理レポート７０の一表示例である。現金管理レポート７０には、被管理者ＩＤで識別されるオペレータ別に、回収金額と、納金金額と、納金金額から回収金額を減算して算出される過不足金額とのリストが表示される。また、回収金額と納金金額と過不足金額の夫々の合計も表示される。
【００４９】
なお、現金管理レポート７０がディスプレイ５２２に表示されている間に、例えばキーボード５２１の所定キー操作により印刷が指令されると、ＣＰＵ５０１は、上記現金管理レポート７０の印字データを、プリンタインターフェース５１１を介して接続されたプリンタに出力する。かくして、現金管理レポート７０が印刷出力される。
【００５０】
第１の実施形態の現金管理システム１が構築された店舗では、１営業日の閉店後に精算業務を許容されたオペレータがＰＯＳ端末１１にサインオンする。そして、精算業務の実行を指令する。このとき、釣銭機１５に残す釣銭準備金に変更がないと仮定すると、当該営業日の現金売上金額から現時点までの回収金額を減額した金額が回収金額Ｄとして算出される。そして、サインオン中のオペレータＩＤと回収金額Ｄと現在の日時情報とを含む現金回収情報が、ストアコンピュータ１２に送信される。
【００５１】
また、釣銭機１５からは、回収金額Ｄに相当する現金が払い出される。その結果、釣銭機１５の現金在高は、釣銭準備金額Ａと等しくなる。
【００５２】
オペレータは、釣銭機１５から払い出された現金を、納金機１３が設置されているバックヤードまで持参する。そして、自らのオペレータＩＤをスキャナ２２２に読み取らせた後に、現金を硬貨投入口４３１または紙幣投入口４３５に投入する。そうすると、投入された現金の総額が納金金額として算出され、オペレータのＩＤ（納金者ＩＤ）とともに納金金額の情報がＨＤＤ装置４０４に保存される。また、納金者ＩＤと納金金額と現在の日時情報とを含む納金実績情報が、ストアコンピュータ１２に送信される。
【００５３】
かくして、ストアコンピュータ１２の現金管理ファイル６０には、当該オペレータのＩＤに対応して、当該オペレータがＰＯＳ端末１１から回収した現金の金額（回収金額）と、当該オペレータが納金機１３に納金した現金の金額（納金金額）と、納金金額から回収金額を減額した過不足金額とが記録される。
【００５４】
このような作用は、精算業務を許容された他のオペレータが他のＰＯＳ端末１１で精算業務を実行し、釣銭機１５から払い出された回収金額を持参して納金機１３に納金した場合も同様である。
【００５５】
また、当該店舗では、営業中に回収担当の店員が店舗内を回り、例えば売上の多いＰＯＳ端末１１から現金を回収する作業を行う。このとき、回収担当の店員は、ＰＯＳ端末１１において回収業務を選択し、自らのオペレータＩＤを入力した後に回収金額を入力する。そうすると、釣銭機１５から回収金額相当の現金が払い出されるので、これを回収する。このとき、当該ＰＯＳ端末１１からは回収者ＩＤと回収金額と現日時情報とを含む現金回収情報が、ストアコンピュータ１２に送信される。
【００５６】
その後、回収担当の店員は、別のＰＯＳ端末１１でも同様に作業して、現金を回収する。そして、回収作業を終了したならば、回収担当の店員は、各ＰＯＳ端末１１から回収した現金をバックヤードまで持参する。そして、自らのオペレータＩＤをスキャナ２２２に読み取らせた後に、現金を硬貨投入口４３１または紙幣投入口４３５に投入する。そうすると、投入された現金の総額が納金金額として算出され、オペレータのＩＤ（納金者ＩＤ）とともに納金金額の情報がＨＤＤ装置４０４に保存される。また、納金者ＩＤと納金金額と現在の日時情報とを含む納金実績情報が、ストアコンピュータ１２に送信される。
【００５７】
かくして、ストアコンピュータ１２の現金管理ファイル６０には、当該回収担当店員のＩＤに対応して、当該店員が各ＰＯＳ端末１１から回収した現金の金額（回収金額）と、当該店員が納金機１３に納金した現金の金額（納金金額）と、納金金額から回収金額を減額した過不足金額とが記録される。
【００５８】
こうして、現金管理ファイル６０に記録されたオペレータ別の回収金額，納金金額及び過不足金額のデータは、現金管理レポート７０として表示または印刷出力される。
【００５９】
このように、第１の実施形態によれば、ＰＯＳ端末１１の釣銭機１５から回収した現金の金額情報が、ＬＡＮ１４を介してストアコンピュータ１２に送信されるとともに、この回収された現金を納金機１３に納金したときの納金実績情報も、ＬＡＮ１４を介してストアコンピュータ１２に送信される。そして、ストアコンピュータ１２においては、回収された現金の金額情報と納金された現金の納金情報とが比較されて、過不足金額が現金管理レポート７０として出力される。
【００６０】
したがって、ＰＯＳ端末１１から回収した売上金を納金機１３に納金する際に納金金額を手入力する必要がないので、オペレータの手間を軽減できる。また、納金金額の入力ミスも起こり得ないので、現金管理の信頼性を高めることができる。さらに、回収した現金の一部を着服する不正を犯しても、着服した分が不足金額として出力されるので、上記のような不正を未然に防止できる効果も奏する。
【００６１】
（第２の実施形態）
次に、現金管理システムの第２の実施形態について説明する。なお、第１の実施形態と共通する部分には同一符号を付し、詳しい説明は省略する。
【００６２】
図１３は、第２の実施形態における現金管理システム１００の全体構成図である。第２の実施形態では、ＰＯＳ端末１１が釣銭機１５でなくドロワ１５０を接続している。また、各ＰＯＳ端末１１には、それぞれ固有の端末ＩＤが端末識別情報として設定されている。
【００６３】
現金管理システム１００において、ドロワ１５０に蓄えられた売上金の回収は、ＰＯＳ端末１１の回収業務によって行われる。図１４は、回収業務に対するＣＰＵ２０１の制御手順を示す流れ図である。この手順は、ＲＯＭ２０２に格納された回収業務プログラムに従う。
【００６４】
回収業務が開始されると、先ず、ＣＰＵ２０１は、例えばオペレータ用ディスプレイ２２３に「釣銭機から回収する金額を入力してください」とのメッセージを表示して、回収金額の入力を促す（ＳＴ５１）。ここで、例えばキーボード２２１の置数キー操作により金額データが入力されると（ＳＴ５１のＹＥＳ）、ＣＰＵ２０１は、その入力金額データを回収金額ＤとしてＲＡＭ２０３のメモリエリア３４に上書きする（ＳＴ５２）。
【００６５】
次に、ＣＰＵ２０１は、自らの端末ＩＤと回収金額Ｄと現在の日時情報とを含む現金回収情報を、ＬＡＮコントローラ２０５を介してストアコンピュータ１２に送信する（ＳＴ５３：回収情報送信手段）。しかる後、ＣＰＵ２０１は、メモリエリア３３の在高金額理論値Ｃから回収金額Ｄを減算して、在高金額理論値Ｃを更新する（ＳＴ５４）。以上で、回収業務は終了する。
【００６６】
ここで、回収業務を担当した店員は、ドロワ１５０から回収金額Ｄに相当する現金を回収する。そして、この現金を持参して納金機１３に納金する。
【００６７】
納金機１３のＣＰＵ４０１は、キーボード４２１のキー操作により納金業務が選択されると、図１５の流れ図に示す手順で納金業務を処理する。この手順は、ＲＯＭ４０２に格納された納金業務プログラムに従う。
【００６８】
納金業務が開始されると、先ず、ＣＰＵ４０１は、例えばディスプレイ４２３に「端末ＩＤを入力してください」とのメッセージを表示して、現金を回収したドロワ１５０を接続するＰＯＳ端末１１の端末ＩＤの入力を促す（ＳＴ６１）。ここで、例えばキーボード４２１の所定キー操作により端末ＩＤが入力されると（ＳＴ６１のＹＥＳ）、ＣＰＵ４０１は、その端末をＲＡＭ４０３に一時記憶する（ＳＴ６２：納金端末取得手段）。
【００６９】
次に、ＣＰＵ４０１は、例えばディスプレイ４２３に「回収した現金を投入してください」とのメッセージを表示して、納金を促す（ＳＴ６３）。ここで、投入硬貨計数部４３４または投入紙幣計数部４３８から硬貨または紙幣の金種別枚数データが入力されると、ＣＰＵ４０１は、納金有りと判断する（ＳＴ６３のＹＥＳ）。この場合、ＣＰＵ４０１は、硬貨または紙幣の金種別枚数データから納金金額Ｇを算出する（ＳＴ６４）。そしてＣＰＵ４０１は、端末ＩＤと納金金額Ｇと時計部４０５で計時されている現在の日時情報とを含む納金実績情報を、ＨＤＤ装置４０４に保存する（ＳＴ６５）。また、上記納金実績情報を、ＬＡＮコントローラ４０６を介してストアコンピュータ１２に送信する（ＳＴ６６：納金情報送信手段）。以上で、納金業務は終了する。
【００７０】
ストアコンピュータ１２は、図１６に示すように、日付別に、端末ＩＤに関連付けて回収金額、納金金額及び過不足金額を１レコードとして記録する現金管理ファイル６０を、ＨＤＤ装置５０４に保存している。そして、この現金管理ファイル６０には、各ＰＯＳ端末１１の端末ＩＤがそれぞれ予めセットされたＰＯＳ端末台数分のレコードが登録されている。
【００７１】
また、ストアコンピュータ１２は、ＲＯＭ５０２に現金管理プログラムを実装している。そして、このプログラムに従い、ＣＰＵ５０１は、ＬＡＮコントローラ５０６を介して接続される各ＰＯＳ端末１１あるいは納金機１３からの情報を待機している。情報を受信すると、ＣＰＵ５０１は、図１７の流れ図に示す受信処理を実行する。
【００７２】
先ず、ＣＰＵ５０１は、受信情報がＰＯＳ端末１１からの現金回収情報であるか否かを判断する。オペレータＩＤまたは回収者ＩＤと回収金額と日時とからなる現金回収情報であった場合（ＳＴ７１のＹＥＳ：回収情報受信手段）、ＣＰＵ５０１は、当該現金回収情報の日付が設定された現金管理ファイル６０を検索して、当該現金回収情報の端末ＩＤがセットされているレコードの回収金額に、当該現金回収情報の回収金額を加算する（ＳＴ７２）。
【００７３】
一方、受信情報が端末ＩＤと納金額と日時とからなる納金実績情報であった場合には（ＳＴ７３のＹＥＳ：納金情報受信手段）、ＣＰＵ５０１は、当該現金回収情報の日付が設定された現金管理ファイル６０を検索して、当該納金実績情報の端末ＩＤが登録されているレコードの納金金額に、当該納金実績情報の納金金額を加算する（ＳＴ７４）。以上で、受信処理は終了する。
【００７４】
ストアコンピュータ１２のＣＰＵ５０１が実行する現金管理業務は、第１の実施形態と同様である。この現金管理業務の実行によりディスプレイ５２２に表示出力される現金管理レポート７１の一例を図１８に示す。図示するように、現金管理レポート７０には、端末ＩＤで識別されるＰＯＳ端末１１別に、回収金額と、納金金額と、納金金額から回収金額を減算して算出される過不足金額とのリストが表示される。また、回収金額と納金金額と過不足金額の夫々の合計も表示される。
【００７５】
このように、第２の実施形態においても、ＰＯＳ端末１１のドロワ１５０から回収した現金の金額情報が、ＬＡＮ１４を介してストアコンピュータ１２に送信されるとともに、この回収された現金を納金機１３に納金したときの納金実績情報も、ＬＡＮ１４を介してストアコンピュータ１２に送信される。そして、ストアコンピュータ１２においては、回収された現金の金額情報と納金された現金の納金情報とが比較されて、過不足金額が現金管理レポート７０として出力される。
【００７６】
したがって、第１の実施形態と同様な作用効果を奏し得る。ただし、第２の実施形態では、回収業務を担当する店員が複数台のＰＯＳ端末１１に夫々接続されたドロワ１５０から回収した金額を一括して納金機１３に納金する運用は禁止される。
【００７７】
なお、本発明は、前記実施形態に限定されるものではない。  
例えば前記各実施形態では、納金機１３をＬＡＮ１４に接続したが、納金機１３に納金したときの納金実績情報がストアコンピュータ１２に送信されるのであれば、ＬＡＮ１４以外の通信回線でストアコンピュータ１２に接続されていてもよく、必ずしもＬＡＮ１４に接続されている必要はない。
【００７８】
また、第１の実施形態のＰＯＳ端末１１における回収業務（図５を参照）において、回収者ＩＤを先に入力し、後から回収金額を入力したが、先に回収金額を入力し、後から回収者ＩＤを入力しても良い。同様に、第１の実施形態または第２の実施形態の納金機１３における納金業務（図７，図１５を参照）において、納金者ＩＤまたは端末ＩＤを入力してから現金を投入したが、先に現金を投入し、後から納金者ＩＤまたは端末ＩＤを入力してもよい。
【００７９】
また、前記実施形態は、ストアコンピュータ１２の内部のプログラム記憶部であるＲＯＭ５０２に発明の機能を実現させる現金管理プログラムが予め記録されているものとした。しかしこれに限らず、同様のプログラムがネットワークからストアコンピュータ１２にダウンロードされてもよい。あるいは、記録媒体に記録された同様のプログラムが、ストアコンピュータ１２にインストールされてもよい。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００８０】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
以下に、本願出願の当初の特許請求の範囲に記載された発明を付記する。  
［１］  ドロワまたは釣銭機を備えた金銭登録機と、前記ドロワまたは釣銭機から回収された現金を納金するための納金機と、前記金銭登録機と前記納金機とをそれぞれ通信手段を介して接続してなる現金管理装置とを含み、前記金銭登録機は、前記ドロワまたは釣銭機から回収された現金の金額を含む回収情報を、前記通信手段を介して前記現金管理装置に送信する回収情報送信手段、を具備し、前記納金機は、納金された現金の金額を含む納金情報を、前記通信手段を介して前記現金管理装置に送信する納金情報送信手段、を具備し、前記現金管理装置は、前記金銭登録機から受信した前記回収情報に含まれる回収金額と前記納金機から受信した前記納金情報に含まれる納金金額とを対応付けて記憶する金額情報記憶手段と、前記金額情報記憶手段により対応付けられて記憶されている回収金額と納金金額との差額である過不足金額を算出する過不足金額算出手段と、この過不足金額算出手段により算出された過不足金額を出力する過不足金額出力手段と、を具備したことを特徴とする現金管理システム。
［２］前記金銭登録機は、前記ドロワまたは釣銭機から現金を回収するオペレータの識別情報を記憶する回収オペレータ記憶手段、をさらに具備し、前記回収情報送信手段は、前記ドロワまたは釣銭機から回収された現金の金額に前記回収オペレータ記憶手段で記憶されたオペレータ識別情報を付加した回収情報を前記現金管理装置に送信し、前記納金機は、現金を納金するオペレータの識別情報を取得する納金オペレータ取得手段、をさらに具備し、前記納金情報取得手段は、納金された現金の金額に前記納金オペレータ取得手段により取得したオペレータ識別情報を付加した納金情報を前記現金管理装置に送信し、前記現金管理装置は、前記金額情報記憶手段において回収金額と納金金額とをそれぞれの金額に付加された前記オペレータ識別情報別に記憶し、前記過不足金額算出手段により前記オペレータ識別情報別に前記過不足金額を算出することを特徴とする付記［１］記載の現金管理システム。
［３］複数の前記金銭登録機が前記通信手段を介して前記現金管理装置に接続されており、前記各金銭登録機が具備する前記回収情報送信手段は、前記ドロワまたは釣銭機から回収された現金の金額に当該金銭登録機を識別する端末識別情報を付加した回収情報を前記現金管理装置に送信し、前記納金機は、納金される現金を回収したドロワまたは釣銭機を備えた金銭登録機の端末識別情報を取得する納金端末取得手段、をさらに具備し、前記納金情報取得手段は、納金された現金の金額に前記納金端末取得手段により取得した端末津識別情報を付加した納金情報を前記現金管理装置に送信し、前記現金管理装置は、前記金額情報記憶手段において回収金額と納金金額とをそれぞれの金額に付加された前記端末識別情報別に記憶し、前記過不足金額算出手段により前記端末識別情報別に前記過不足金額を算出することを特徴とする付記［１］記載の現金管理システム。
［４］ドロワまたは釣銭機を備えた金銭登録機と、前記ドロワまたは釣銭機から回収された現金を納金するための納金機とをそれぞれ通信手段を介して接続してなる現金管理装置において、前記金銭登録機から、前記ドロワまたは釣銭機から回収された現金の金額を含む回収情報を受信する回収情報受信手段と、前記納金機から、納金された現金の金額を含む納金情報を受信する納金情報受信手段と、前記金銭登録機から受信した前記回収情報に含まれる回収金額と前記納金機から受信した前記納金情報に含まれる納金金額とを対応付けて記憶する金額情報記憶手段と、前記金額情報記憶手段により対応付けられて記憶されている回収金額と納金金額との差額である過不足金額を算出する過不足金額算出手段と、この過不足金額算出手段により算出された過不足金額を出力する過不足金額出力手段と、を具備したことを特徴とする現金管理装置。
［５］前記金額情報記憶手段は、前記回収金額と前記納金金額とを、前記回収金額及び前記納金金額にそれぞれ付加されているオペレータ識別情報または端末識別情報別に記憶し、前記過不足金額算出手段は、前記オペレータ識別情報または端末識別情報別に前記過不足金額を算出することを特徴とする付記［４］記載の現金管理装置。
［６］ドロワまたは釣銭機を備えた金銭登録機と、前記ドロワまたは釣銭機から回収された現金を納金するための納金機とをそれぞれ通信手段を介して接続してなるコンピュータに、前記金銭登録機から前記ドロワまたは釣銭機から回収された現金の金額を含む回収情報を受信させる回収情報受信機能と、前記納金機から納金された現金の金額を含む納金情報を受信させる納金情報受信機能と、前記金銭登録機から受信した前記回収情報に含まれる回収金額と前記納金機から受信した前記納金情報に含まれる納金金額とを対応付けて記憶部で記憶させる金額情報記憶機能と、前記記憶部で対応付けられて記憶されている回収金額と納金金額との差額である過不足金額を算出させる過不足金額算出機能と、前記過不足金額算出機能により算出された過不足金額を出力させる過不足金額出力機能と、を実現させるための現金管理プログラム。
【符号の説明】
【００８１】
１…現金管理システム、１１…ＰＯＳ端末、１２…ストアコンピュータ、１３…納金機、１４…ＬＡＮ、１５…釣銭機、６０，６１…現金管理ファイル、１５０…ドロワ。
【図１】
0005520976.tif 000002
【図２】
0005520976.tif 000003
【図３】
0005520976.tif 000004
【図４】
0005520976.tif 000005
【図５】
0005520976.tif 000006
【図６】
0005520976.tif 000007
【図７】
0005520976.tif 000008
【図８】
0005520976.tif 000009
【図９】
0005520976.tif 000010
【図１０】
0005520976.tif 000011
【図１１】
0005520976.tif 000012
【図１２】
0005520976.tif 000013
【図１３】
0005520976.tif 000014
【図１４】
0005520976.tif 000015
【図１５】
0005520976.tif 000016
【図１６】
0005520976.tif 000017
【図１７】
0005520976.tif 000018
【図１８】
0005520976.tif 000019